(57)【要約】【課題】框の細いガラス扉にも容易に設置することが可能で、且つ、見栄えの良いプッシュプル錠を提供する。【解決手段】プッシュプル錠１は、扉２の壁面３に設けられる固定部材１３と、固定部材１３に回転可能に支持されるハンドル１５と、ハンドル１５の回転に伴って回転するラッチレバー１６と、扉２の木口に対して進退可能に設けられるラッチボルトと、扉２内に配置され、ラッチレバー１６の回転に伴ってラッチボルトの木口からの退避規制状態と退避可能状態を切り替えるストッパー機構と、扉２内に配置され、ストッパー機構を収容する錠ケース７５と、を備え、固定部材１３には、補強部材１４が固定され、錠ケース７５には、壁面３の裏面１０４と対向する側面１０５に嵌合穴８０が設けられ、嵌合穴８０に補強部材１４が嵌合している。【選択図】図３
2014020055.tif 000002
【特許請求の範囲】
【請求項１】
扉の壁面に設けられる固定部材と、
該固定部材に回転可能に支持されるハンドルと、
該ハンドルの回転に伴って回転するラッチレバーと、
前記扉の木口に対して進退可能に設けられるラッチボルトと、
前記扉内に配置され、前記ラッチレバーの回転に伴って前記ラッチボルトの前記木口からの退避規制状態と退避可能状態を切り替えるストッパー機構と、
前記扉内に配置され、前記ストッパー機構を収容する錠ケースと、を備え、
前記固定部材には、補強部材が固定され、
前記錠ケースには、前記壁面の裏面と対向する側面に嵌合穴が設けられ、該嵌合穴に前記補強部材が嵌合していることを特徴とするプッシュプル錠。
【請求項２】
前記錠ケースには、前記側面とは反対側の側面に他の嵌合穴が設けられ、
前記補強部材は、前記錠ケースの内部空間を貫通して、前記他の嵌合穴に嵌合していることを特徴とする請求項１に記載のプッシュプル錠。
【請求項３】
前記固定部材は、
前記壁面に固定される台座と、
該台座に固定されるとともに前記ハンドルの一部が収容されるアームケースと、を備え、
前記補強部材は、
前記アームケースに固定される固定部と、
該固定部の両端から延出し、前記錠ケースの前記側面に設けられた一対の前記嵌合穴に嵌合する一対の嵌合部と、を備えていることを特徴とする請求項１又は２に記載のプッシュプル錠。
【発明の詳細な説明】
【技術分野】
【０００１】
本発明は、マンションやホテル等の建物の扉に用いられるプッシュプル錠に関する。
【背景技術】
【０００２】
従来、マンションやホテル等の建物の扉には、この扉の室内外の壁面にそれぞれ設けられる固定部材と、各固定部材に回転可能に支持される一対のハンドルと、を備えたプッシュプル錠が一般に用いられている。
【０００３】
このようなプッシュプル錠には、扉の木口に対して進退可能なラッチボルトが設けられており、ハンドルが押圧又は牽引されていない状態では、扉の木口からのラッチボルトの退避が規制されることで、扉の閉止状態が保持される。一方で、ハンドルが押圧又は牽引されると、扉の木口からのラッチボルトの退避が可能となることで、扉を開放可能となる（特許文献１参照）。
【先行技術文献】
【特許文献】
【０００４】
【特許文献１】特開２００４−２１８１９１号公報
【発明の概要】
【発明が解決しようとする課題】
【０００５】
このようなプッシュプル錠においては、ハンドルが押圧又は牽引される際に固定部材に大きな負荷がかかる。このような大きな負荷が繰り返しかかっても固定部材の位置がずれないようにするためには、固定部材をある程度大型化しなければならないのが現状である。しかしながら、固定部材を大型化すると、例えば框（かまち）の細いガラス扉にプッシュプル錠を設置しようとする場合に、框に対して固定部材が大きすぎて固定部材を框に固定できなくなり、プッシュプル錠の設置に支障をきたす虞がある。また、上記のように固定部材が大型化すると、扉の見栄えが悪くなる。
【０００６】
そこで、本発明は上記の事情を考慮し、框の細いガラス扉にも容易に設置することが可能で、且つ、見栄えの良いプッシュプル錠を提供することを目的とする。
【課題を解決するための手段】
【０００７】
本発明に係るプッシュプル錠は、扉の壁面に設けられる固定部材と、該固定部材に回転可能に支持されるハンドルと、該ハンドルの回転に伴って回転するラッチレバーと、前記扉の木口に対して進退可能に設けられるラッチボルトと、前記扉内に配置され、前記ラッチレバーの回転に伴って前記ラッチボルトの前記木口からの退避規制状態と退避可能状態を切り替えるストッパー機構と、前記扉内に配置され、前記ストッパー機構を収容する錠ケースと、を備え、前記固定部材には、補強部材が固定され、前記錠ケースには、前記壁面の裏面と対向する側面に嵌合穴が設けられ、該嵌合穴に前記補強部材が嵌合していることを特徴とする。
【０００８】
このような構成を採用することで、ハンドルが押圧又は牽引された際に固定部材にかかる負荷を錠ケースに分散させることが可能となり、固定部材にかかる負荷を軽減することができる。そのため、固定部材の位置ずれを防止しつつ固定部材を小型化することができ、これに伴って、ガラス扉の細い框にも容易に固定部材を固定することが可能になるとともに、プッシュプル錠の見栄えを良くすることができる。
【０００９】
本発明に係るプッシュプル錠は、前記錠ケースには、前記側面とは反対側の側面に他の嵌合穴が設けられ、前記補強部材は、前記錠ケースの内部空間を貫通して、前記他の嵌合穴に嵌合しても良い。
【００１０】
このような構成を採用することで、固定部材にかかる負荷を一層効率的に錠ケースに分散させることができ、固定部材の位置ずれを一層効果的に防止することが可能となる。これに伴って、固定部材を更に小型化することも可能になる。
【００１１】
本発明に係るプッシュプル錠は、前記固定部材は、前記壁面に固定される台座と、該台座に固定されるとともに前記ハンドルの一部が収容されるアームケースと、を備え、前記補強部材は、前記アームケースに固定される固定部と、該固定部の両端から延出し、前記錠ケースの前記側面に設けられた一対の前記嵌合穴に嵌合する一対の嵌合部と、を備えていても良い。
【００１２】
このような構成を採用することで、固定部材にかかる負荷を錠ケースに分散させることが可能なプッシュプル錠を、簡易な構成によって実現することが可能となる。
【発明の効果】
【００１３】
本発明によれば、框の細いガラス扉にも容易に設置することが可能で、且つ、見栄えの良いプッシュプル錠を提供することができる。
【図面の簡単な説明】
【００１４】
【図１】本発明の一実施形態に係るプッシュプル錠が設置された扉を示す斜視図である。
【図２】本発明の一実施形態に係る扉を示す斜視図である。
【図３】本発明の一実施形態に係るプッシュプル錠が設置された扉を示す側断面図である。
【図４】本発明の一実施形態に係るプッシュプル錠において、（ａ）は室外側台座を示す正面図であり、（ｂ）は室外側台座を示す背面図であり、（ｃ）は（ａ）のＡ−Ａ断面図である。
【図５】本発明の一実施形態に係るプッシュプル錠において、（ａ）は室外側アームケースを示す斜視図であり、（ｂ）は室外側アームケースを示す正面図である。
【図６】本発明の一実施形態に係るプッシュプル錠において、（ａ）は補強部材を示す斜視図であり、（ｂ）は補強部材を示す背面図である。
【図７】本発明の一実施形態に係るプッシュプル錠において、室外側ハンドルのグリップを示す斜視図である。
【図８】本発明の一実施形態に係るプッシュプル錠において、室外側ハンドルのグリップアームを示す斜視図である。
【図９】本発明の一実施形態に係るプッシュプル錠が設置された扉を示す平面図である。
【図１０】本発明の一実施形態に係るプッシュプル錠において、（ａ）は室内側台座を示す正面図であり、（ｂ）は室内側台座を示す側面図であり、（ｃ）は室内側台座を示す背面図である。
【図１１】本発明の一実施形態に係るプッシュプル錠において、（ａ）は取付ステーを示す斜視図であり、（ｂ）は取付ステーを示す平面図である。
【図１２】本発明の一実施形態に係るプッシュプル錠において、（ａ）はラッチボルトの退避規制状態を示す側断面図であり、（ｂ）はラッチボルトの退避可能状態を示す側断面図である。
【図１３】本発明の一実施形態に係るプッシュプル錠において、（ａ）はケース身を示す側面図であり、（ｂ）はケース蓋を示す側面図である。
【発明を実施するための形態】
【００１５】
以下、図１〜図１３に基づき、本発明の一実施形態に係るプッシュプル錠１について説明する。図１に示されるように、プッシュプル錠１は、扉２（図１〜図３では、一部のみ表示）に設置されている。まず、プッシュプル錠１について詳細な説明を行う前に、扉２の構造について簡単に説明する。
【００１６】
扉２には、外壁面３と内壁面４の間に、収容空間５が形成されている。図２に示されるように、扉２の外壁面３の略中央には、横長矩形状の補強部材用貫通穴６が上下一対で穿設されている。上側の補強部材用貫通穴６の上方と下側の補強部材用貫通穴６の下方には、横長矩形状のラッチレバー用貫通穴７が穿設されている。上側のラッチレバー用貫通穴７の上方と下側のラッチレバー用貫通穴７の下方には、各ラッチレバー用貫通穴７と連続する円形の取付バー用貫通穴８が穿設されている。上側の取付バー用貫通穴８の上方と下側の取付バー用貫通穴８の下方には、横長矩形状の係合穴１０が穿設されている。なお、補強部材用貫通穴６、ラッチレバー用貫通穴７、取付バー用貫通穴８及び係合穴１０は、扉２の内壁面４にも同様に設けられている。扉２の木口１１には、開口部１２が設けられている。
【００１７】
次に、プッシュプル錠１のうち、扉２の室外側（図３における左側）に設けられた部材について説明する。なお、説明の便のため、図３における左側を扉２の室外側に設けられた部材の前側（正面側）とし、図３における右側を扉２の室外側に設けられた部材の後側（背面側）とする。
【００１８】
図３に示されるように、扉２の室外側には、扉２の外壁面３に設けられる室外側固定部材１３と、室外側固定部材１３の上下方向中央に固定される補強部材１４と、室外側固定部材１３に回転可能に支持される室外側ハンドル１５と、室外側ハンドル１５の後部上側に設けられる室外側ラッチレバー１６と、を備えている。以下、これらについて順番に説明する。
【００１９】
まず、室外側固定部材１３について説明する。室外側固定部材１３は、扉２の外壁面３に固定される室外側台座１７と、室外側台座１７の上下方向中央に固定される室外側アームケース１８と、を備えている。
【００２０】
図４に示されるように、室外側台座１７の上下方向中央には、連通穴２０が水平方向に設けられている。室外側台座１７の前面には、連通穴２０の外周から前方に向かって四角筒状の装着筒部２１が突設されている。以下、装着筒部２１の内部空間も連通穴２０の一部として説明を行う。装着筒部２１の右側部には、装着凹部２２が設けられている。室外側台座１７の後面には、連通穴２０の左右両側に、上下一対の台座側固定穴２３が水平方向に設けられている。
【００２１】
室外側台座１７には、連通穴２０の上方と下方に、台座側取付穴２４が水平方向に設けられている。図３に示されるように、各台座側取付穴２４には、取付バー２５の室外側端部が螺合している。各取付バー２５は、扉２の外壁面３に設けられた各取付バー用貫通穴８を貫通している。各取付バー２５の室内側端部には、雌ネジ部２６が設けられている。
【００２２】
図３に示されるように、室外側アームケース１８は、室外側台座１７の連通穴２０に収容されている。図５に示されるように、室外側アームケース１８は、上下方向に延びる連結板２７と、連結板２７の上下両端から前方に向かって略直角に屈曲される上下支持板２８と、を備えており、略コ字状を成している。
【００２３】
連結板２７の四隅には、アームケース側固定穴２９が水平方向に穿設されている。そして、各アームケース側固定穴２９を貫通する固定ボルト（図示せず）が室外側台座１７の各台座側固定穴２３に挿入されることで、室外側アームケース１８が室外側台座１７に固定されている。連結板２７の上下方向中央には、左右一対のアームケース側締結穴３０が水平方向に穿設されている。上下支持板２８の基端部（後端部）には、円形のアームケース側軸穴３１が上下方向に穿設されている。上下支持板２８の先端部（前端部）には、左右方向に長い回転規制穴３２が上下方向に穿設されている。
【００２４】
次に、補強部材１４について説明する。図６に示されるように、補強部材１４は、上下方向に延びる固定部３３と、固定部３３の上下両端から後側に延出する一対の嵌合部３４と、を備えており、略コ字状を成している。
【００２５】
固定部３３には、左右一対の補強部材側締結穴３５が水平方向に穿設されている。そして、各補強部材側締結穴３５を貫通する締結ボルト（図示せず）が室外側アームケース１８の各アームケース側締結穴３０に挿入されることで、補強部材１４の固定部３３が室外側アームケース１８の連結板２７に固定されている。
【００２６】
各嵌合部３４の基端側（前端側）には、テーパー状に縮幅する縮幅部３６が設けられている。そのため、嵌合部３４の先端部（後端部）は、嵌合部３４の基端部（前端部）よりも左右幅が小さくなっている。図３に示されるように、各嵌合部３４は、扉２の外壁面３に設けられた補強部材用貫通穴６を貫通している。
【００２７】
次に、室外側ハンドル１５について説明する。図３に示されるように、室外側ハンドル１５は、グリップ３７と、グリップ３７に固定されるグリップアーム３８と、を備えている。
【００２８】
図７に示されるように、グリップ３７は、グリップ軸部４０と、グリップ軸部４０の前端から右方（図面上は左方）に向かって緩やかに屈曲される操作部４１と、を備えており、略Ｌ字状を成している。グリップ軸部４０の基端部（後端部）には、挿入凹部３９が設けられている。グリップ軸部４０の内面の上前部と後下部には、グリップ側連結穴４２が水平方向に設けられている。
【００２９】
図８に示されるように、グリップアーム３８の上前部と後下部には、グリップアーム側連結穴４３が左右方向に設けられている。そして、グリップアーム３８の前部がグリップ３７の挿入凹部３９に挿入された状態で、グリップ３７の各グリップ側連結穴４２を貫通する連結ボルト（図示せず）が各グリップアーム側連結穴４３に挿入されることで、グリップ３７とグリップアーム３８が固定され、室外側ハンドル１５が一体化されている。図３に示されるように、グリップアーム３８の前部から後端部に亘る部分は、室外側アームケース１８に収容されている。
【００３０】
図８に示されるように、グリップアーム３８の基端側には、略Ｌ字状のバネ用凹部４４が設けられている。グリップアーム３８の基端部には、バネ用凹部４４の上下に、グリップアーム側軸穴４５が上下方向に穿設されている。図３に示されるように、各グリップアーム側軸穴４５と室外側アームケース１８の各アームケース側軸穴３１には、レバー軸４６が貫通している。これにより、レバー軸４６を中心に回転可能な状態で、室外側ハンドル１５が室外側固定部材１３に支持されている。以下、図９に実線で示す位置を室外側ハンドル１５の非操作位置と称し、図９に二点鎖線で示す位置（非操作位置よりも前方に回転した位置）を室外側ハンドル１５の操作位置と称する。
【００３１】
図８に示されるように、グリップアーム３８の前後方向略中央には、バネ用凹部４４の上下に、グリップアーム側貫通穴４７が上下方向に穿設されている。図３に示されるように、各グリップアーム側貫通穴４７と室外側アームケース１８の回転規制穴３２には、回転規制軸４８が貫通している。これにより、室外側ハンドル１５の回転範囲が、非操作位置と操作位置の間に規制されている。グリップアーム３８のバネ用凹部４４には、レバー軸４６の外周に巻回されるねじりコイルバネ５０が収容されている。ねじりコイルバネ５０は、室外側ハンドル１５を非操作位置に付勢している（図９参照）。
【００３２】
次に、室外側ラッチレバー１６について説明する。図３に示されるように、室外側ラッチレバー１６は、前後方向に長い平板状を成している。室外側ラッチレバー１６の前後方向略中央部から前端部に亘る部分は、室外側アームケース１８の上支持板２８と室外側台座１７の連通穴２０の天面によって上下から挟まれている。室外側ラッチレバー１６の後部は、扉２の外壁面３に設けられた上側のラッチレバー用貫通穴７を貫通している。
【００３３】
室外側ラッチレバー１６の前後方向略中央部には、ラッチレバー側軸穴５１が上下方向に穿設され、ラッチレバー側軸穴５１には、レバー軸４６が貫通している。室外側ラッチレバー１６の先端部（前端部）には、ラッチレバー側貫通穴５２が上下方向に穿設され、ラッチレバー側貫通穴５２には、回転規制軸４８が貫通している。このような構成により、室外側ラッチレバー１６が室外側ハンドル１５の回転に伴って室外側ハンドル１５と一体に回転するようになっている。
【００３４】
次に、プッシュプル錠１のうち、扉２の室内側（図３における右側）に設けられた部材について説明する。なお、説明の便のため、図３における右側を扉２の室内側に設けられた部材の前側（正面側）とし、図３における左側を扉２の室内側に設けられた部材の後側（背面側）とする。
【００３５】
図３に示されるように、扉２の室内側には、扉２の内壁面４に設けられる室内側固定部材５３と、室内側固定部材５３の後端に固定される取付ステー５４と、室内側固定部材５３に回転可能に支持される室内側ハンドル５５と、室内側ハンドル５５の後部下側に設けられる室内側ラッチレバー５６と、を備えている。
【００３６】
なお、室内側ハンドル５５の構成については、室外側ハンドル１５の構成と同様であるため、図面上において室内側ハンドル５５の各部に室外側ハンドル１５の各部と同一の番号を付し、説明を省略する。なお、室内側ハンドル５５については、図９に実線で示す位置を非操作位置と称し、図９に二点鎖線で示す位置（非操作位置よりも後方に回転した位置）を操作位置と称する。室内側ハンドル５５は、室内側のねじりコイルバネ５０によって非操作位置に付勢されている。また、室内側ラッチレバー５６の構成については、室外側ラッチレバー１６の構成と同様であるため、図面上において室内側ラッチレバー５６の各部に室外側ラッチレバー１６の各部と同一の番号を付し、説明を省略する。以下、室内側固定部材５３と取付ステー５４について順番に説明する。
【００３７】
まず、室内側固定部材５３について説明する。室内側固定部材５３は、扉２の内壁面４に固定される室内側台座５７と、室内側台座５７の上下方向中央に固定される室内側アームケース５８と、を備えている。室内側アームケース５８の構成については、室外側アームケース１８の構成と同様であるため、図面上において室内側アームケース５８の各部に室外側アームケース１８の各部と同一の番号を付し、説明を省略する。
【００３８】
図１０に示されるように、室内側台座５７の上下方向中央には、連通穴６０が水平方向に穿設されている。室内側台座５７の前面には、連通穴６０の外周から前方に向かって四角筒状の装着筒部６１が突設されている。以下、装着筒部６１の内部空間も連通穴６０の一部として説明を行う。装着筒部６１の右側部には、装着凹部６２が設けられている。室内側台座５７の後面には、連通穴６０の左右両側に、上下一対の台座側固定穴６３が水平方向に設けられている。室内側台座５７の左右両側面には、上下一対の台座側装着穴６４が水平方向に設けられている。
【００３９】
次に、取付ステー５４について説明する。なお、図１１では、取付ステー５４を後側から見ていることになるので、図面上の左右関係と実際の左右関係が逆転している。図１１に示されるように、取付ステー５４は、接続部６５と、接続部６５の左右両側部から前側（内壁面４から離間する側）に延出する一対の装着部６６と、を備えており、コ字状を成している。
【００４０】
接続部６５の上部と下部には、横長矩形状のラッチレバー用挿入穴７０が水平方向に穿設されている。下側のラッチレバー用挿入穴７０には、室内側ラッチレバー５６が挿通されている（図３参照）。
【００４１】
図１１に示されるように、上側のラッチレバー用挿入穴７０の上方と下側のラッチレバー用挿入穴７０の下方には、取付ステー側取付穴７１が水平方向に穿設されている。図３に示されるように、取付ステー側取付穴７１には取付ボルト６９が挿通され、この取付ボルト６９が取付バー２５の室内側端部に設けられた雌ネジ部２６に螺合することで、取付バー２５の室内側端部が接続部６５に取り付けられている。これにより、扉２を挟み込むようにして室内側の各部材と室外側の各部材が扉２に装着されている。取付ボルト６９は、扉２を貫通する取付部材５９を取付バー２５と共に構成している。換言すると、扉２を貫通する取付部材５９が、取付バー２５と取付ボルト６９とによって構成されている。
【００４２】
図１１に示されるように、接続部６５の長手方向両端部（上下両端部）には、後方に向かって係合突起７２が突設されている。各係合突起７２の右端部（図面上は左端部）の先端側には、突部７３が右方（図面上は左方）に向かって設けられている。各係合突起７２の左端部（図面上は右端部）の先端側には、後方に向かって右側（図面上は左側）に傾斜する切欠き部７４が設けられている。図３に示されるように、各係合突起７２は、扉２の内壁面４に設けられた係合穴１０に係合している。
【００４３】
図１１に示されるように、装着部６６には、上下一対の取付ステー側装着穴６７が水平方向に穿設されている。そして、各取付ステー側装着穴６７を貫通する装着ボルト（図示せず）が室内側台座５７の各台座側装着穴６４に挿入されることで、取付ステー５４が室内側台座５７に固定されている。装着部６６の上下方向中央には、縦長矩形状の溝部６８が凹設されている。
【００４４】
次に、プッシュプル錠１のうち、扉２の内部に収納される部材について説明する。なお、説明の便のため、図１２における左側を扉２の内部に収納される部材の前側（正面側）とし、図１２における右側を扉２の内部に収納される部材の後側（背面側）とする。図２では、扉２の内部を後側から見ていることになるので、図面上の左右関係と実際の左右関係が逆転している。
【００４５】
図１２に示されるように、扉２の内部には、扉２の木口１１に沿って収容空間５内に収容される錠ケース７５と、錠ケース７５内に収納されるストッパー機構７６と、錠ケース７５の前端から扉２の木口１１の前方に突出するラッチボルト７７と、が設けられている。以下、これらについて順番に説明する。
【００４６】
まず、錠ケース７５について説明する。図１３に示されるように、錠ケース７５は、右面が開口されたケース身７８と、ケース身７８の開口を覆うようにしてケース身７８に接合されるケース蓋７９と、を備えている。
【００４７】
ケース蓋７９の後部には、横長矩形状の嵌合穴８０が水平方向に上下一対で穿設されている。図３に示されるように、各嵌合穴８０は、錠ケース７５における扉２の外壁面３の裏面１０４と対向する側面１０５に設けられている。各嵌合穴８０には、補強部材１４の各嵌合部３４が嵌合している。
【００４８】
図１３に示されるように、ケース身７８の後部には、横長矩形状の他の嵌合穴８１が水平方向に上下一対で穿設されている。図３に示されるように、各他の嵌合穴８１は、錠ケース７５における扉２の外壁面３の裏面１０４と対向する側面１０５とは反対側の側面１０６（扉２の内壁面４の裏面１０７と対向する側面）に設けられている。各他の嵌合穴８１には、補強部材１４の各嵌合部３４が嵌合している。このことから明らかなように、補強部材１４の各嵌合部３４は、錠ケース７５の内部空間を貫通している。
【００４９】
図１３に示されるように、ケース蓋７９の上側の嵌合穴８０の上方と下側の嵌合穴８０の下方には、横長矩形状のラッチレバー用挿通穴８２が設けられている。図３に示されるように、ケース蓋７９の上側のラッチレバー用挿通穴８２には、室外側ラッチレバー１６が貫通している。図１３に示されるように、ケース身７８の上側の他の嵌合穴８１の上方と下側の他の嵌合穴８１の下方には、横長矩形状のラッチレバー用挿通穴８２が設けられている。図３に示されるように、ケース身７８の下側のラッチレバー用挿通穴８２には、室内側ラッチレバー５６が貫通している。
【００５０】
図１３に示されるように、ケース身７８とケース蓋７９の上端部と下端部には、上側のラッチレバー用挿通穴８２の上方と下側のラッチレバー用挿通穴８２の下方に、円弧状に湾曲する取付バー用係合凹部８３が設けられている。各取付バー用係合凹部８３には、各取付バー２５が係合している。錠ケース７５の前端部には、ラッチボルト用挿通穴８４が形成されている。
【００５１】
図１２に示されるように、錠ケース７５の前端は錠ケース取付板８５に固定され、錠ケース取付板８５は扉２の木口１１に固定されている。各錠ケース７５の前部には、ラッチボルト装着部８６が形成されている。ラッチボルト装着部８６の前面は開口されている。ラッチボルト装着部８６の上下両面には、挿入開口部８７が形成されている。
【００５２】
次に、ストッパー機構７６について説明する。ストッパー機構７６は、前後一対の上方駆動板８８と、この上方駆動板８８の下方に配置される前後一対の下方駆動板９０と、前側の上方駆動板８８と前側の下方駆動板９０の前方に配置される上下一対の退避規制板９１と、を主体として構成されている。
【００５３】
前側の上方駆動板８８は、第１支点９２を中心に回転可能であり、前側の上方駆動板８８の前端部には上方押圧部９３が設けられている。後側の上方駆動板８８は、第１支点９２の後方に設けられた第２支点９４を中心に回転可能である。後側の上方駆動板８８は、第１支点９２と第２支点９４の間において前側の上方駆動板８８と揺動可能に接続されている。各下方駆動板９０については、各上方駆動板８８と上下対称であるため、説明を省略する。
【００５４】
上側の退避規制板９１は、その後部に設けられた第３支点９５を中心に回転可能である。上側の退避規制板９１には、後方に突出する被押圧部９６が設けられ、この被押圧部９６は前側の上方駆動板８８の押圧部９３に当接している。上側の退避規制板９１の前端部には、上側の挿入開口部８７を介してラッチボルト装着部８６内に挿入される係止片９７が設けられている。下側の退避規制板９１については、上側の退避規制板９１と同様の構成であるため、説明を省略する。但し、下側の退避規制板９１の回転軸は、第４支点９８と称する。第４支点９８の外周には、付勢スプリング９９が巻回されている。
【００５５】
次に、ラッチボルト７７について説明する。ラッチボルト７７は、錠ケース７５のラッチボルト装着部８６に水平方向回転可能に装着されており、この水平方向の回転に伴って扉２の木口１１に対して進退するようになっている。ラッチボルト７７の前側部分は、錠ケース７５のラッチボルト用挿通穴８４を介して扉２の木口１１の前方に突出しており、扉枠等の被固定部１００に設けられたストライク１０１に係合している。これにより、被固定部１００に対する扉２の閉止状態が保持されている。ラッチボルト７７の後面とラッチボルト装着部８６との間にはコイルバネ１０２が介装され、このコイルバネ１０２によって、ラッチボルト７７が突出方向（本実施形態では、前方）に付勢されている。
【００５６】
上記の如く構成されたものにおいて、扉２が閉止されている状態では、ねじりコイルバネ５０の付勢力によって室外側ハンドル１５が非操作位置に付勢されている（図９の実線参照）。また、図１２（ａ）に示されるように、付勢スプリング９９の付勢力によって各退避規制板９１の係止片９７がラッチボルト７７を係止しており、扉２の木口１１からのラッチボルト７７の退避が規制されている。これにより、ラッチボルト７７が被固定部１００のストライク１０１に係合した状態が保持されており、扉２の被固定部１００に対する開放が規制されている。
【００５７】
この状態から、室外側ハンドル１５のグリップ３７を手前側に牽引すると、室外側ハンドル１５がレバー軸４６を中心に前方に向かって操作位置まで回転する（図９の二点鎖線参照）。この回転に伴って、室外側ラッチレバー１６がレバー軸４６を中心に室外側ハンドル１５と一体に回転する。この室外側ラッチレバー１６の回転に伴って、図１２（ｂ）に示されるように、室外側ラッチレバー１６がストッパー機構７６の後側の上方駆動板８８を後方に押圧して、後側の上方駆動板８８が第２支点９４を中心に回転する。これに伴って、後側の上方駆動板８８と揺動可能に連結された前側の上方駆動板８８が第１支点９２を中心に回転し、前側の上方駆動板８８の押圧部９３が上側の退避規制板９１の被押圧部９６を押圧する。この押圧により、上側の退避規制板９１が第３支点９５を中心に回転し、上側の退避規制板９１の係止片９７によるラッチボルト７７の係止が解除される。
【００５８】
また、各下方駆動板９０が、各上方駆動板８８と同様の作用により回転し、前側の下方駆動板９０の押圧部９３が下側の退避規制板９１の被押圧部９６を押圧する。この押圧により、下側の退避規制板９１が第４支点９８を中心に回転し、下側の退避規制板９１の係止片９７によるラッチボルト７７の係止も解除される。これにより、ラッチボルト７７が扉２の木口１１から退避可能となり、扉２を被固定部１００に対して開放することができる。以上のように、本実施形態では、室外側ラッチレバー１６の回転に伴って、ストッパー機構７６によりラッチボルト７７の木口１１からの退避規制状態と退避可能状態を切り替えられるようになっている。
【００５９】
なお、室内側ハンドル５５を奥側（後方）に押圧した場合にも、上記と同様の作用により、扉２を被固定部１００に対して開放することができる。つまり、本実施形態のプッシュプル錠１では、室外側ハンドル１５の牽引操作又は室内側ハンドル５５の押圧操作によって扉２を開放することが可能となっている。
【００６０】
ところで、上記のように室外側ハンドル１５が牽引されると、室外側固定部材１３に大きな負荷がかかる。しかしながら、本実施形態では、室外側固定部材１３に固定された補強部材１４に設けられた嵌合部３４を、錠ケース７５に設けられた各嵌合穴８０及び各他の嵌合穴８１に嵌合させているため、上記の負荷を錠ケース７５に分散させることが可能となり、室外側固定部材１３にかかる負荷を軽減することができる。そのため、室外側固定部材１３の位置ずれを防止しつつ、室外側固定部材１３を小型化することができ、これに伴って、ガラス扉の細い框にも容易に室外側固定部材１３を固定することが可能になるとともに、プッシュプル錠１の見栄えを良くすることができる。
【００６１】
本実施形態では、室外側固定部材１３のみに補強部材１４を固定する場合について説明したが、他の異なる実施形態では、室内側固定部材５３のみに補強部材１４を固定しても良いし、室外側固定部材１３と室内側固定部材５３の両方に補強部材１４を固定しても良い。
【符号の説明】
【００６２】
１  プッシュプル錠
２  扉
３  外壁面
１１  木口
１３  室外側固定部材
１４  補強部材
１５  室外側ハンドル
１６  室外側ラッチレバー
１７  室外側台座
３３  固定部
３４  嵌合部
５８  室外側アームケース
７５  錠ケース
７６  ストッパー機構
７７  ラッチボルト
８０  嵌合穴
８１  他の嵌合穴
１０４  （外壁面の）裏面
１０５  （錠ケースの）側面
１０６  （錠ケースの）反対側の側面
【図１】
2014020055.tif 000003
【図２】
2014020055.tif 000004
【図３】
2014020055.tif 000005
【図４】
2014020055.tif 000006
【図５】
2014020055.tif 000007
【図６】
2014020055.tif 000008
【図７】
2014020055.tif 000009
【図８】
2014020055.tif 000010
【図９】
2014020055.tif 000011
【図１０】
2014020055.tif 000012
【図１１】
2014020055.tif 000013
【図１２】
2014020055.tif 000014
【図１３】
2014020055.tif 000015